(57)【要約】【課題】被写体の放射線撮影に際し放射線検出器における撮影可能数を具体的に把握する。【解決手段】本発明に係る放射線画像撮影システムは、被写体を放射線撮影して当該被写体の放射線画像を得るものであり、前記被写体を透過した放射線を検出する放射線検出器１０と、放射線検出器１０の動作を制御するコンソール３とを備える。放射線検出器１０は、電力供給源となるバッテリ１９と、バッテリ１９の充電量を検知する制御部２５と、制御部２５により検知されたバッテリ１９の充電量を充電情報としてコンソール３に送信するコネクタ２０とを、有する。他方、コンソール３は、前記充電情報を受信するコネクタ３１と、コネクタ３１により受信された前記充電情報に基づき放射線検出器１０の撮影可能数を算出する制御部３５と、制御部３５により算出された前記撮影可能数を表示するディスプレイ３２とを有する。【選択図】図３
2006095020.tif 000002
【特許請求の範囲】
【請求項１】
被写体を放射線撮影して当該被写体の放射線画像を得る放射線画像撮影システムにおいて、
前記被写体を透過した放射線を検出する放射線検出器と、
前記放射線検出器の動作を制御するコンソールと、
を備え、
前記放射線検出器が、
電力供給源となるバッテリと、
前記バッテリの充電量を検知する充電量検知部と、
前記充電量検知部により検知された前記バッテリの充電量を充電情報として前記コンソールに送信する送信部と、
を有し、
前記コンソールが、
前記送信部から送信された前記充電情報を受信する受信部と、
前記受信部により受信された前記充電情報に基づき前記放射線検出器の撮影可能数を算出する算出部と、
前記算出部により算出された前記撮影可能数を表示する表示部と、
を有することを特徴とする放射線画像撮影システム。
【請求項２】
請求項１に記載の放射線画像撮影システムにおいて、
前記算出部には前記被写体の撮影予定数が予め登録され、
前記算出部が、
算出した前記撮影可能数と予め登録された前記撮影予定数とを照合し、算出した前記撮影可能数が予め登録された前記撮影予定数以上であるか否かを判断し、その判断結果を前記表示部に表示させることを特徴とする放射線画像撮影システム。
【請求項３】
請求項１又は２に記載の放射線画像撮影システムにおいて、
前記バッテリの充電量が、前記バッテリの駆動電圧を示すことを特徴とする放射線画像撮影システム。
【請求項４】
請求項３に記載の放射線画像撮影システムにおいて、
前記算出部が、
前記バッテリの駆動電圧と前記撮影可能数とが互いに対応付けられたデータテーブルを有し、前記データテーブルを参照して前記バッテリの駆動電圧から前記撮影可能数を算出することを特徴とする放射線画像撮影システム。
【請求項５】
請求項４に記載の放射線画像撮影システムにおいて、
前記データテーブルが、前記放射線検出器の種類に対応することを特徴とする放射線画像撮影システム。
【請求項６】
被写体を放射線撮影して当該被写体の放射線画像を得る放射線画像撮影システムにおいて、
前記被写体を透過した放射線を検出する放射線検出器と、
前記放射線検出器の動作を制御するコンソールと、
を備え、
前記放射線検出器が、
電力供給源となるバッテリと、
前記バッテリの充電量を検知する充電量検知部と、
前記充電量検知部により検知された前記バッテリの充電量に基づき前記放射線検出器の撮影可能数を算出する算出部と、
前記算出部により算出された前記撮影可能数を撮影可能数情報として前記コンソールに送信する送信部と、
を有し、
前記コンソールが、
前記送信部から送信された前記撮影可能数情報を受信する受信部と、
前記受信部により受信された前記撮影可能数情報に基づき、前記算出部により算出された前記撮影可能数を表示する表示部と、
を有することを特徴とする放射線画像撮影システム。
【請求項７】
請求項６に記載の放射線画像撮影システムにおいて、
前記コンソールが、
前記被写体の撮影予定数が予め登録された制御部を有し、
前記制御部が、
前記算出部により算出された前記撮影可能数と予め登録された前記撮影予定数とを照合し、前記算出部により算出された前記撮影可能数が予め登録された前記撮影予定数以上であるか否かを判断し、その判断結果を前記表示部に表示させることを特徴とする放射線画像撮影システム。
【請求項８】
請求項６又は７に記載の放射線画像撮影システムにおいて、
前記バッテリの充電量が、前記バッテリの駆動電圧を示すことを特徴とする放射線画像撮影システム。
【請求項９】
請求項８に記載の放射線画像撮影システムにおいて、
前記算出部が、
前記バッテリの駆動電圧と前記撮影可能数とが互いに対応付けられたデータテーブルを有し、前記データテーブルを参照して前記バッテリの駆動電圧から前記撮影可能数を算出することを特徴とする放射線画像撮影システム。
【請求項１０】
請求項９に記載の放射線画像撮影システムにおいて、
前記データテーブルが、前記放射線検出器の種類に対応することを特徴とする放射線画像撮影システム。
【請求項１１】
被写体の放射線撮影に用いられる放射線検出器において、
電力供給源となるバッテリと、
前記バッテリの充電量を検知する充電量検知部と、
前記充電量検知部により検知された前記バッテリの充電量に基づき撮影可能数を算出する算出部と、
前記算出部により算出された前記撮影可能数を表示する表示部と、
を備えることを特徴とする放射線検出器。
【請求項１２】
請求項１１に記載の放射線検出器において、
前記バッテリの充電量が、前記バッテリの駆動電圧を示すことを特徴とする放射線検出器。
【請求項１３】
請求項１２に記載の放射線検出器において、
前記算出部が、
前記バッテリの駆動電圧と前記撮影可能数とが互いに対応付けられたデータテーブルを有し、前記データテーブルを参照して前記バッテリの駆動電圧から前記撮影可能数を算出することを特徴とする放射線検出器。
【請求項１４】
請求項１３に記載の放射線検出器において、
前記データテーブルが、前記バッテリの種類に対応することを特徴とする放射線検出器。
【発明の詳細な説明】
【技術分野】
【０００１】
本発明は、被写体の放射線撮影に際し適用される放射線画像撮影システム及び放射線検出器に関する。
【背景技術】
【０００２】
従来から、医療診断を目的とする放射線撮影分野においては、被写体に放射線を照射してその被写体を透過した放射線の強度分布を検出することにより、当該被写体の放射線画像を得る放射線画像撮影システムが広く知られている。近年の放射線画像撮影システムでは、多数の光電変換素子をマトリクス状に配した薄型平板状の所謂「フラットパネルディテクタ（Flat Panel Detector）」という放射線検出器が開発・使用され、その放射線検出器で被写体を透過した放射線を電気信号に光電変換し、光電変換後の電気信号を画像処理することにより容易かつ迅速に被写体の放射線画像を得ることができるようになっている。
【０００３】
上記放射線検出器は、システムの一部として所定位置に据え置かれる据置型と、持ち運び自在の携帯型（カセッテ型）とに大別されるが、カセッテ型の放射線検出器において検出器単体で駆動させる場合には、通常、その放射線検出器には蓄電池（バッテリ）が配されている。そのような放射線検出器の一例が特許文献１に開示されている。特に特許文献１の放射線検出器（カセッテ型放射線画像読取装置１）では、バッテリで構成された電源手段（２３）の充電状態が充電状態表示手段（２８）に表示されるようになっており、電源手段の充電状況（充電残量）を目視により容易に確認することができるようになっている（段落番号００６３参照）。
【特許文献１】特開２０００−３４７３３０号公報
【発明の開示】
【発明が解決しようとする課題】
【０００４】
しかしながら、特許文献１の放射線検出器のように充電状態が単に表示されるだけでは、撮影者は、残りどの程度の撮影が可能であるのか（何画像分の撮影が可能であるのか）という撮影可能数を具体的に把握することができず、例えば下記（１）〜（４）のような不都合がある。
【０００５】
（１）撮影者は、撮影途中で充電切れになるかもしれないという不安を抱き、使用中の放射線検出器をそのまま継続して使用することに躊躇する。
（２）撮影途中に充電切れが発生すると、使用していた放射線検出器を他の放射線検出器に替えるまでの間、その撮影に供した被験者を待たせることになり、被験者に不要な負担をかけてしまう。
【０００６】
（３）撮影途中に充電切れが発生すると、その撮影に供した被写体の放射線画像を完全に生成することができない可能性があり、その場合には再度撮影し直さなければならず、被験者に対し不要な放射線を被曝させてしまう。
（４）放射線検出器は一般に非常に高価なものであって総合病院等が多数保有しているのが現状であり、放射線検出器の保有台数の少ない病院・診療所では、撮影の合間を縫ってバッテリの充電や交換を行わなければならず、多数の撮影に際し綿密な計画をたてることができない。
【０００７】
本発明の目的は、被写体の放射線撮影に際し放射線検出器における撮影可能数を具体的に把握することである。
【課題を解決するための手段】
【０００８】
上記課題を解決するため請求項１に記載の発明は、
被写体を放射線撮影して当該被写体の放射線画像を得る放射線画像撮影システムにおいて、
前記被写体を透過した放射線を検出する放射線検出器と、
前記放射線検出器の動作を制御するコンソールと、
を備え、
前記放射線検出器が、
電力供給源となるバッテリと、
前記バッテリの充電量を検知する充電量検知部と、
前記充電量検知部により検知された前記バッテリの充電量を充電情報として前記コンソールに送信する送信部と、
を有し、
前記コンソールが、
前記送信部から送信された前記充電情報を受信する受信部と、
前記受信部により受信された前記充電情報に基づき前記放射線検出器の撮影可能数を算出する算出部と、
前記算出部により算出された前記撮影可能数を表示する表示部と、
を有することを特徴としている。
【０００９】
請求項２に記載の発明は、
請求項１に記載の放射線画像撮影システムにおいて、
前記算出部には前記被写体の撮影予定数が予め登録され、
前記算出部が、
算出した前記撮影可能数と予め登録された前記撮影予定数とを照合し、算出した前記撮影可能数が予め登録された前記撮影予定数以上であるか否かを判断し、その判断結果を前記表示部に表示させることを特徴としている。
【００１０】
請求項３に記載の発明は、
請求項１又は２に記載の放射線画像撮影システムにおいて、
前記バッテリの充電量が、前記バッテリの駆動電圧を示すことを特徴としている。
【００１１】
請求項４に記載の発明は、
請求項３に記載の放射線画像撮影システムにおいて、
前記算出部が、
前記バッテリの駆動電圧と前記撮影可能数とが互いに対応付けられたデータテーブルを有し、前記データテーブルを参照して前記バッテリの駆動電圧から前記撮影可能数を算出することを特徴としている。
【００１２】
請求項５に記載の発明は、
請求項４に記載の放射線画像撮影システムにおいて、
前記データテーブルが、前記放射線検出器の種類に対応することを特徴としている。
【００１３】
請求項６に記載の発明は、
被写体を放射線撮影して当該被写体の放射線画像を得る放射線画像撮影システムにおいて、
前記被写体を透過した放射線を検出する放射線検出器と、
前記放射線検出器の動作を制御するコンソールと、
を備え、
前記放射線検出器が、
電力供給源となるバッテリと、
前記バッテリの充電量を検知する充電量検知部と、
前記充電量検知部により検知された前記バッテリの充電量に基づき前記放射線検出器の撮影可能数を算出する算出部と、
前記算出部により算出された前記撮影可能数を撮影可能数情報として前記コンソールに送信する送信部と、
を有し、
前記コンソールが、
前記送信部から送信された前記撮影可能数情報を受信する受信部と、
前記受信部により受信された前記撮影可能数情報に基づき、前記算出部により算出された前記撮影可能数を表示する表示部と、
を有することを特徴としている。
【００１４】
請求項７に記載の発明は、
請求項６に記載の放射線画像撮影システムにおいて、
前記コンソールが、
前記被写体の撮影予定数が予め登録された制御部を有し、
前記制御部が、
前記算出部により算出された前記撮影可能数と予め登録された前記撮影予定数とを照合し、前記算出部により算出された前記撮影可能数が予め登録された前記撮影予定数以上であるか否かを判断し、その判断結果を前記表示部に表示させることを特徴としている。
【００１５】
請求項８に記載の発明は、
請求項６又は７に記載の放射線画像撮影システムにおいて、
前記バッテリの充電量が、前記バッテリの駆動電圧を示すことを特徴としている。
【００１６】
請求項９に記載の発明は、
請求項８に記載の放射線画像撮影システムにおいて、
前記算出部が、
前記バッテリの駆動電圧と前記撮影可能数とが互いに対応付けられたデータテーブルを有し、前記データテーブルを参照して前記バッテリの駆動電圧から前記撮影可能数を算出することを特徴としている。
【００１７】
請求項１０に記載の発明は、
請求項９に記載の放射線画像撮影システムにおいて、
前記データテーブルが、前記放射線検出器の種類に対応することを特徴としている。
【００１８】
請求項１１に記載の発明は、
被写体の放射線撮影に用いられる放射線検出器において、
電力供給源となるバッテリと、
前記バッテリの充電量を検知する充電量検知部と、
前記充電量検知部により検知された前記バッテリの充電量に基づき撮影可能数を算出する算出部と、
前記算出部により算出された前記撮影可能数を表示する表示部と、
を備えることを特徴としている。
【００１９】
請求項１２に記載の発明は、
請求項１１に記載の放射線検出器において、
前記バッテリの充電量が、前記バッテリの駆動電圧を示すことを特徴としている。
【００２０】
請求項１３に記載の発明は、
請求項１２に記載の放射線検出器において、
前記算出部が、
前記バッテリの駆動電圧と前記撮影可能数とが互いに対応付けられたデータテーブルを有し、前記データテーブルを参照して前記バッテリの駆動電圧から前記撮影可能数を算出することを特徴としている。
【００２１】
請求項１４に記載の発明は、
請求項１３に記載の放射線検出器において、
前記データテーブルが、前記バッテリの種類に対応することを特徴としている。
【発明の効果】
【００２２】
請求項１に記載の発明では、コンソールの表示部に放射線検出器における撮影可能数が表示されるため、被写体の放射線撮影に際し放射線検出器における撮影可能数を具体的に把握することができる。そのため、放射線撮影中にバッテリで充電切れになるかもしれないという撮影者の不安が解消され、放射線撮影に供した被験者を待たせたり被験者に対し不要な放射線を被曝させたりすることもなくなり、放射線検出器の保有台数の少ない病院・診療所では、バッテリの充電や交換を計画的に行え、多数の放射線撮影に際し綿密な計画をたてることができる。
【００２３】
請求項２に記載の発明では、撮影可能数が撮影予定数以上であるか否かの判断結果がコンソールの表示部に表示されるため、被写体の放射線撮影中に放射線検出器のバッテリ切れが発生するのを未然に防止することができる。
【００２４】
請求項３に記載の発明では、バッテリの充電量がバッテリの駆動電圧を示すため、撮影可能数が高精度で算出され、その撮影可能数の信頼性を高めることができる。
【００２５】
請求項４に記載の発明では、撮影可能数の算出に際しデータテーブルが参照されるため、撮影可能数が高精度で算出され、その撮影可能数の信頼性を高めることができる。
【００２６】
請求項５に記載の発明では、放射線検出器の種類に応じた撮影可能数を把握することができる。
【００２７】
請求項６に記載の発明では、表示部に撮影可能数が表示されるため、被写体の放射線撮影に際し放射線検出器における撮影可能数を具体的に把握することができる。そのため、放射線撮影中にバッテリで充電切れになるかもしれないという撮影者の不安が解消され、放射線撮影に供した被験者を待たせたり被験者に対し不要な放射線を被曝させたりすることもなくなり、放射線検出器の保有台数の少ない病院・診療所では、バッテリの充電や交換を計画的に行え、多数の放射線撮影に際し綿密な計画をたてることができる。
【００２８】
請求項７に記載の発明では、撮影可能数が撮影予定数以上であるか否かの判断結果がコンソールの表示部に表示されるため、被写体の放射線撮影中に放射線検出器のバッテリ切れが発生するのを未然に防止することができる。
【００２９】
請求項８に記載の発明では、バッテリの充電量がバッテリの駆動電圧を示すため、撮影可能数が高精度で算出され、その撮影可能数の信頼性を高めることができる。
【００３０】
請求項９に記載の発明では、撮影可能数の算出に際しデータテーブルが参照されるため、撮影可能数が高精度で算出され、その撮影可能数の信頼性を高めることができる。
【００３１】
請求項１０に記載の発明では、放射線検出器の種類に応じた撮影可能数を把握することができる。
【００３２】
請求項１１に記載の発明では、表示部に撮影可能数が表示されるため、被写体の放射線撮影に際し放射線検出器における撮影可能数を具体的に把握することができる。そのため、放射線撮影中にバッテリで充電切れになるかもしれないという撮影者の不安が解消され、放射線撮影に供した被験者を待たせたり被験者に対し不要な放射線を被曝させたりすることもなくなり、放射線検出器の保有台数の少ない病院・診療所では、バッテリの充電や交換を計画的に行え、多数の放射線撮影に際し綿密な計画をたてることができる。
【００３３】
請求項１２に記載の発明では、バッテリの充電量がバッテリの駆動電圧を示すため、撮影可能数が高精度で算出され、その撮影可能数の信頼性を高めることができる。
【００３４】
請求項１３に記載の発明では、撮影可能数の算出に際しデータテーブルが参照されるため、撮影可能数が高精度で算出され、その撮影可能数の信頼性を高めることができる。
【００３５】
請求項１４に記載の発明では、バッテリの種類に応じた撮影可能数を把握することができる。
【発明を実施するための最良の形態】
【００３６】
以下、図面を参照しながら本発明を実施するための最良の形態について説明する。ただし、発明の範囲は図示例に限定されない。
【００３７】
［第１の実施形態］
図１は放射線画像撮影システム１の概略構成を示す図面である。
図１に示す通り、放射線画像撮影システム１は、被写体としての被験者Ｍに放射線を照射して被験者Ｍの放射線撮影を行う撮影装置２と、被験者Ｍの放射線画像を生成するコンソール３とを、備えている。
【００３８】
撮影装置２は診療所・病院等の医療施設に設置され使用されるものである。撮影装置２は放射線源４を有しており、当該放射線源４に管電圧が印加されることによって放射線を放射するようになっている。放射線源４の放射線放射口には放射線照射野を調節する絞り装置５が開閉自在に設けられている。放射線源４の下方であって放射線照射範囲には被験者Ｍを載置させる寝台６が設けられている。寝台６には、被験者Ｍを透過した放射線量を検出する放射線検出器１０が配されている。放射線検出器１０は寝台６に対し着脱自在に配された持ち運び自在のカセッテ型のものである
【００３９】
コンソール３は、汎用のコンピュータであって放射線検出器１０の検出結果に基づき被験者Ｍの放射線画像を生成する制御装置３０（図３参照）を内蔵しており、その他に、撮影装置２との通信を行うためのコネクタ３１（図３参照）、被験者Ｍの放射線画像等を表示する表示部としてのディスプレイ３２、被験者Ｍ及び放射線検出器１０に関する撮影情報を制御装置３０に入力するためのキーボード・マウス３３等を有している。
【００４０】
図２は放射線検出器１０の概略構成を示す斜視図である。
図２に示す通り、放射線検出器１０は薄型で直方体状の筐体１１を有しており、筐体１１の天板の一部が放射線の散乱成分を吸収・除去するグリッド１２となっている。筐体１１の側部には把手１３が配されており、放射線検出器１０を容易に持ち運ぶことができるようになっている。
【００４１】
筐体１１の内部には、放射線の強度に応じた強度で蛍光を発するシンチレータ１４が配されている。シンチレータ１４はＧＯＳ（Ｇｄ2Ｏ2Ｓ：Ｔｂ）やＣｓＩ等の蛍光体で構成されている。シンチレータ１４の下部又は下方には蛍光を検出する平板状の蛍光検出パネル１５が配されている。
【００４２】
蛍光検出パネル１５には、蛍光を受光してその受光量に応じた電荷を蓄積する多数の光電変換素子がマトリクス状（格子状）に配されている。蛍光検出パネル１５の側部には、各光電変換素子にパルスを送って当該各光電変換素子を走査・駆動させる走査ドライバ１６と、各光電変換素子に蓄積された電荷量を読み出す信号ドライバ１７とが、配されている。
【００４３】
筐体１１の内部には、走査ドライバ１６及び信号ドライバ１７その他の部材の動作を制御する制御装置１８と、電力供給源となるバッテリ１９とが、配されている。特にバッテリ１９は筐体１１に対し着脱自在に配されており、他のバッテリ１９と容易に交換することができる。また、上記構成を備える筐体１１には、コンソール３との通信を行うためのコネクタ２０や各種メッセージを表示するインジケータ２１、各種情報を制御装置１８に入力するための操作ボタン２２等が配されている。
【００４４】
図３は放射線画像撮影システム１の回路構成を示すブロック図である。
図３に示す通り、放射線検出器１０においては、制御装置１８は汎用のＣＰＵ（Central Processing Unit）、ＲＯＭ（Read Only Memory）、ＲＡＭ（Random Access Memory）等から構成された制御部２５を有している。制御部２５は、ＲＯＭに記録された処理プログラムをＲＡＭに展開し、ＣＰＵにより当該処理プログラムを実行するようになっている。
【００４５】
制御部２５には走査ドライバ１６、信号ドライバ１７、バッテリ１９、コネクタ２０、インジケータ２１、操作ボタン２２等の各部材が接続されており、制御部２５は、走査ドライバ１６、信号ドライバ１７、バッテリ１９、コネクタ２０、インジケータ２１、操作ボタン２２等の各部材の動作状況等に基づいて各構成を制御するようになっている。特に、制御部２５はバッテリ１９の充電量としてバッテリ１９の駆動電圧を算出することができるようになっている。
【００４６】
一方、コンソール３においては、制御装置３０は汎用のＣＰＵ（Central Processing Unit）、ＲＯＭ（Read Only Memory）、ＲＡＭ（Random Access Memory）等から構成された制御部３５を有している。制御部３５は、ＲＯＭに記録された処理プログラムをＲＡＭに展開し、ＣＰＵにより当該処理プログラムを実行するようになっている。
【００４７】
制御部３５にはコネクタ３１、ディスプレイ３２、キーボード・マウス３３等の各部材が接続されており、制御部３５は、コネクタ３１、ディスプレイ３２、キーボード・マウス３３等の各部材の動作状況等に基づいて各構成を制御するようになっている。特に、撮影者は、キーボード・マウス３３を入力操作することで、被験者Ｍ及び放射線検出器１０に関する撮影情報を制御装置３０の制御部３５に登録することができるようになっている。
【００４８】
「撮影情報」とは、被験者Ｍの撮影予定数、被験者Ｍに対する撮影モード（静止画モード又は動画モード）、放射線検出器１０の種類、バッテリ１９の種類等を含む情報であり、特に撮影モード中の動画モードには、撮影間隔（１画像／秒、１０画像／秒等）、撮影時間（１秒、１０秒、１分等）等の情報が含まれる。
【００４９】
以上の放射線画像撮影システム１では、放射線検出器１０のコネクタ２０とコンソール３のコネクタ３１とがケーブル等の部材で接続されるようになっており、各コネクタ２０、３１を通じて放射線検出器１０とコンソール３との間で互いに通信可能となっている。
なお、放射線検出器１０とコンソール３との通信は、上記の通り有線によるものであってもよいが、周知の無線によるものであってもよいし、ネットワークを介した周知の有線又は無線によるものであってもよい。
【００５０】
続いて、放射線画像撮影システム１の動作・作用、詳しくは放射線画像撮影システム１を用いた被験者Ｍの放射線画像の生成方法について説明する。
【００５１】
撮影装置２の放射線検出器１０とコンソール３とが互いに通信可能とされた状態において、始めに、撮影者は、コンソール３のキーボード・マウス３３の入力操作によりコンソール３の制御部３５に対し被験者Ｍ及び放射線検出器１０の「撮影情報」を事前登録する。
【００５２】
コンソール３の制御部３５は、撮影者の入力操作を受けて被験者Ｍ及び放射線検出器１０の撮影情報を認識し、被験者Ｍの放射線撮影を開始する旨の「開始信号」をコネクタ３１から放射線検出器１０に送信する。すると、放射線検出器１０はその開始信号をコネクタ２０で受信し、充電量検知部としての制御部２５がバッテリ１９の充電量を検知してその検知結果から当該バッテリ１９の駆動電圧を算出する。そして放射線検出器１０は、送信部としてのコネクタ２０が制御部２５で算出されたバッテリ１９の駆動電圧を「充電情報」としてコンソール３に送信する。
【００５３】
コンソール３は、受信部としてのコネクタ３１で充電情報を受信し、制御部３５が当該充電情報に基づき放射線検出器１０のバッテリ１９の駆動電圧を認識する。
【００５４】
ここで、コンソール３の制御部３５には、バッテリ１９の駆動電圧と放射線検出器１０における撮影可能数とが互いに対応付けられたデータテーブル（図４参照）が、放射線検出器１０の種類とバッテリ１９の種類との両方に対応して予め複数格納されている。算出部としての制御部３５は、事前登録された撮影情報に基づき放射線検出器１０の種類とバッテリ１９の種類との両方に対応した特定のデータテーブルを複数のデータテーブル中から選択し、その選択したデータテーブルを参照して、バッテリ１９の駆動電圧から放射線検出器１０における撮影可能数を算出する。
【００５５】
図４は上記データテーブルの一例を示す図面である。
図４に示すデータテーブルでは、バッテリ１９の駆動電圧と放射線検出器１０における撮影可能数とが互いに対応した状態で列挙されており、駆動電圧が低下するにつれてそれに対応する撮影可能数も減少している。例えば、コンソール３の制御部３５は、バッテリ１９の駆動電圧を「５５（Ｖ）」と認識したら、その駆動電圧から撮影可能数を「３０〜２６」と算出する。
【００５６】
なお、上記データテーブルは、単に放射線検出器１０の種類に対応するものであってもよいし、単にバッテリ１９の種類に対応するものであってもよい。この場合には、コンソール３の制御部３５は、事前登録された撮影情報に基づき放射線検出器１０の種類又はバッテリ１９の種類のいずれか一方に対応した特定のデータテーブルを複数のデータテーブル中から選択する。
【００５７】
コンソール３の制御部３５は、放射線検出器１０における撮影可能数を算出したら、事前登録された撮影情報に基づき被験者Ｍの撮影予定数を算出する。この場合、コンソール３の制御部３５は、事前登録された撮影情報に基づき被験者Ｍに対する撮影モードも認識し、その撮影モードの種類に応じた全撮影予定数を算出する。例えば、撮影者による撮影情報の事前登録において撮影モードとして動画モードが選択されている場合には、コンソール３の制御部３５は、撮影情報中から動画モードを認識し、その動画モードにおける撮影間隔や撮影時間等の全ての情報を加味して撮影予定数を算出する。
【００５８】
コンソール３の制御部３５は、被験者Ｍの撮影予定数を算出したら、バッテリ１９の駆動電圧から算出した撮影可能数と撮影情報に基づく撮影予定数とを照合し、算出した撮影可能数が撮影情報に基づく撮影予定数以上であるか否かを比較・判断する。
【００５９】
コンソール３の制御部３５は、算出した撮影可能数が撮影情報に基づく撮影予定数未満であると判定した場合には、被験者Ｍの放射線撮影中にバッテリ１９で充電切れが発生する可能性があると判断し、その旨（被験者Ｍの放射線撮影は不可である旨）のメッセージをディスプレイ３２に表示させる。この場合、撮影者は、その放射線検出器１０のバッテリ１９には被験者Ｍの放射線撮影を行うのに十分な充電量がないと判断し、その放射線検出器１０を他の放射線検出器１０と交換して、上記事前登録を繰り返し行わなければならない。
【００６０】
一方、コンソール３の制御部３５は、算出した撮影可能数が撮影情報に基づく撮影予定数以上であると判定した場合には、被験者Ｍの放射線撮影中にバッテリ１９で充電切れが発生する可能性はないと判断し、撮影可能数を示す旨のメッセージをディスプレイ３２に表示させる。
【００６１】
この場合、コンソール３の制御部３５は、算出した撮影可能数が規定数未満であるか否かを比較・判定する。ここでいう「規定数」は、コンソール３の制御部３５において予め設定されていてもよいし、撮影者によるキーボード・マウス３３の入力操作により適宜変更可能とされてもよい。
【００６２】
コンソール３の制御部３５は、算出した撮影可能数が規定数以上であると判定した場合には、「多」、「中」、「少」等の抽象的な表示形態でその撮影可能数をディスプレイ３２に表示させ、他方、算出した撮影可能数が規定数未満であると判定した場合には、「３」、「２」、「１」等の具体的な数字をもった表示形態でその撮影可能数をディスプレイ３２に表示させる。
【００６３】
例えば、コンソール３の制御部３５が、図４に示すデータテーブルを用いて撮影可能数を算出した場合であって規定数が「６」であるときは、当該制御部３５は、撮影可能数を「１００〜３６」と算出したらその撮影可能数を「多」と、撮影可能数を「３５〜２１」と算出したらその撮影可能数を「中」と、撮影可能数を「２０〜６」と算出したらその撮影可能数を「少」と、抽象的にディスプレイ３２に表示させ、他方、撮影可能数をそれぞれ「５」、「４」、「３」、「２」、「１」と算出したらそれら撮影可能数をそれぞれ「５」、「４」、「３」、「２」、「１」と、具体的な数字をもってディスプレイ３２に表示させる。
【００６４】
コンソール３のディスプレイ３２が撮影可能数を示す旨のメッセージを表示したら、撮影者は、その放射線検出器１０のバッテリ１９には被験者Ｍの放射線撮影を行うのに十分な充電量があると判断し、撮影装置２を用いた被験者Ｍの放射線撮影を開始することができる。
【００６５】
放射線撮影では、被験者Ｍが寝台６に横たわった状態において、放射線源４が絞り装置５を介して被験者Ｍに放射線を照射し、被験者Ｍ及び寝台６を透過した放射線が放射線検出器１０に入射する。放射線が放射線検出器１０に入射すると、当該放射線は、放射線検出器１０のグリッド１２で散乱成分が吸収・除去されてシンチレータ１４に入射し、シンチレータ１４が放射線の強度に応じた強度で蛍光を発する。
【００６６】
シンチレータ１４が蛍光を発すると、蛍光検出パネル１５の各光電変換素子がシンチレータ１４で発された蛍光を受光し、その受光量に応じた電荷を蓄積する。各光電変換素子が電荷を蓄積すると、制御装置１８の制御部２５が走査ドライバ１６及び信号ドライバ１７をそれぞれ制御して、走査ドライバ１６が各光電変換素子にパルスを送り、信号ドライバ１７が各光電変換素子に蓄積された電荷量を信号として読み出す。
【００６７】
信号ドライバ１７が信号を読み出すと、当該信号ドライバ１７がその読み出した信号を被験者Ｍの「放射線画像情報」として制御装置１８の制御部２５に出力し、制御装置１８の制御部２５がその放射線画像情報をコネクタ２０からコンソール３の制御装置３０の制御部３５に送信する。
【００６８】
コンソール３はコネクタ３１で放射線画像情報を受信し、制御装置３０の制御部３５がその受信した放射線画像情報を画像処理して放射線画像を生成し、その放射線画像を被験者Ｍの放射線画像としてディスプレイ３２に表示させる。
【００６９】
以上の放射線画像撮影システム１では、コンソール３のディスプレイ３１に放射線検出器１０における撮影可能数が表示されるため、撮影者は、被験者Ｍの放射線撮影に際し放射線検出器１０における撮影可能数を具体的に把握することができる。そのため、放射線撮影中にバッテリ１９で充電切れになるかもしれないという撮影者の不安が解消され、放射線撮影に供した被験者Ｍを待たせたり被験者Ｍに対し不要な放射線を被曝させたりすることもなくなり、放射線検出器１０の保有台数の少ない病院・診療所では、バッテリ１９の充電や交換を計画的に行え、多数の放射線撮影に際し綿密な計画をたてることができる。
【００７０】
［第２の実施形態］
第２の実施形態に係る放射線画像撮影システム１は、下記の点で上記第１の実施形態に係る放射線画像撮影システム１と構成・作用等が異なっており、それ以外が上記第１の実施形態に係る放射線画像撮影システム１と同様となっている。
【００７１】
図４に示すような上記データテーブルが、コンソール３の制御部３５に代わり、放射線検出器１０の制御部２５に予め複数格納されている。
【００７２】
そして放射線画像撮影システム１の動作中において、放射線検出器１０は、算出部としての制御部２５が複数のデータテーブル中から放射線検出器１０の種類とバッテリ１９の種類との両方又はいずれか一方に対応した特定のデータテーブルを選択し、その選択したデータテーブルを参照して、バッテリ１９の駆動電圧から撮影可能数を算出する。
【００７３】
放射線検出器１０は、制御部２５が撮影可能数を算出したら、コネクタ２０が制御部２５で算出された撮影可能数を「撮影可能数情報」としてコンソール３に送信する。コンソール３は、コネクタ３１で撮影可能数情報を受信し、制御部３５が当該撮影可能数情報に基づき放射線検出器１０における撮影可能数を認識して上記と同様の処理をおこなう。
【００７４】
また本第２の実施形態では、放射線検出器１０の制御部２５は、バッテリ１９の駆動電圧から算出した撮影可能数を表示部としてのインジケータ２１に表示させてもよい。
【００７５】
この場合、放射線検出器１０の制御部２５は、算出した撮影可能数が規定数未満であるか否かを比較・判定し、算出した撮影可能数が規定数以上であると判定したときには、「多」、「中」、「少」等の抽象的な表示形態でその撮影可能数をインジケータ２１に表示させ、他方、算出した撮影可能数が規定数未満であると判定したときには、「３」、「２」、「１」等の具体的な数字をもった表示形態でその撮影可能数をインジケータ２１に表示させるのがよい（図４参照）。ここでいう「規定数」は、放射線検出器１０の制御部２５において予め設定されていてもよいし、撮影者による操作ボタン２２の入力操作により適宜変更可能とされてもよい。
【００７６】
放射線検出器１０の制御部２５が、算出した撮影可能数を放射線検出器１０のインジケータ２１に表示させれば、撮影者は、その放射線検出器１０を用いた撮影可能数をインジケータ２１の表示から具体的に把握することができ、被験者Ｍの放射線撮影に際しバッテリ１９の充電量で足りるか否かの判断やバッテリ１９の充電や交換の時期の判断等を容易にすることができる。
【００７７】
なお、本発明は上記第１，第２の各実施形態に限定されることなく、本発明の主旨を逸脱しない範囲において種々の改良及び設計の変更をおこなってもよい。
【００７８】
例えば、コンソール３の制御部３５又は放射線検出器１０の制御部２５が、上記の通りに算出した撮影可能数をそれに応じた表示形態でディスプレイ３２又はインジケータ２１に表示させるのではなく、算出した撮影可能数をそれより少ない撮影可能数を示す表示形態でディスプレイ３２又はインジケータ２１に表示させてもよい。
【００７９】
すなわち、図４を参照しながらその一例を説明すると、コンソール３の制御部３５又は放射線検出器１０の制御部２５が、撮影可能数を「１００〜３６」と算出したらその撮影可能数を「中」とディスプレイ３２又はインジケータ２１に表示させ、撮影可能数を「５」と算出したらその撮影可能数を「３」とディスプレイ３２又はインジケータ２１に表示させてもよい。
【００８０】
この場合、算出された撮影可能数とそれより少ない数を示す表示形態で表示される撮影可能数との差は、コンソール３の制御部３５又は放射線検出器１０の制御部２５において予め設定されていてもよいし、撮影者によるキーボード・マウス３３又は操作ボタン２２の入力操作により適宜変更可能とされてもよい。
【図面の簡単な説明】
【００８１】
【図１】放射線画像撮影システムの概略構成を示す図面である。
【図２】放射線検出器の概略構成を示す斜視図である。
【図３】放射線画像撮影システムの回路構成を示すブロック図である。
【図４】データテーブルの一例を示す図面である。
【符号の説明】
【００８２】
Ｍ  被験者（被写体）
１  放射線画像撮影システム
３  コンソール
３１  コネクタ（受信部）
３２  ディスプレイ（表示部）
３５  制御部（算出部）
１０  放射線検出器
１９  バッテリ
２０  コネクタ（送信部）
２１  インジケータ（表示部）
２５  制御部（充電量検知部，算出部）
【図１】
2006095020.tif 000003
【図２】
2006095020.tif 000004
【図３】
2006095020.tif 000005
【図４】
2006095020.tif 000006